【手続補正書】
【提出日】令和3年9月13日(2021.9.13)
【手続補正１】
【補正対象書類名】明細書
【補正対象項目名】０１３２
【補正方法】変更
【補正の内容】
【０１３２】
さまざまな実施例を説明してきた。これらの及び他の実施例は、以下の特許請求の範囲内にある。
なお、以上の各実施例に加えて以下の態様について付記する。
（付記１）
歯科修復物を形成するためのツールであって、前記ツールは、
患者の修復すべき少なくとも１つの歯と患者固有のカスタマイズされた嵌め合いを提供するように構成された予め形成されたモールド本体を備え、前記モールド本体は、前記少なくとも１つの歯の表面の一部分と整列するように構成されており、かつ前記モールド本体は、前記少なくとも１つの歯と組み合わされて前記患者の前記修復すべき少なくとも１つの歯の所望の歯構造の少なくとも一部分を覆い囲むモールドキャビティを画定するように構成されており、前記修復すべき少なくとも１つの歯の所望の歯構造の前記一部分は、前記少なくとも１つの歯の歯肉縁上表面から前記少なくとも１つの歯の歯肉縁下表面への移行部を画定する、ツール。
（付記２）
前記修復すべき少なくとも１つの歯の前記所望の歯構造は、前記少なくとも１つの歯の前記歯肉縁上表面から前記少なくとも１つの歯の前記歯肉縁下表面まで先細になる歯構造を画定する、付記１に記載のツール。
（付記３）
前記モールド本体は、前記少なくとも１つの歯の前記歯肉縁下表面の少なくとも一部分と接触して、前記モールドキャビティの周囲の少なくとも一部分において封止圧力を集中させるように構成されている、付記１又は２に記載のツール。
（付記４）
前記少なくとも１つの歯の前記歯肉縁下表面は、前記少なくとも１つの歯の歯根を含む、付記１〜３のいずれか一項に記載のツール。
（付記５）
前記モールド本体は、前記患者の歯肉の一部分と、前記修復すべき少なくとも１つの前記歯肉縁下表面との間に延びるように構成されている、付記１〜４のいずれか一項に記載のツール。
（付記６）
前記モールド本体は、前記モールド本体が前記少なくとも１つの歯の上に配置され前記モールドキャビティを画定するときに、前記修復すべき少なくとも１つの歯に接近する前記患者の歯肉の一部分を変位させるように構成されている、付記１〜４のいずれか一項に記載のツール。
（付記７）
前記モールド本体は、少なくとも１つの位置合わせ部材を備え、
前記少なくとも１つの位置合わせ部材は、前記修復すべき少なくとも１つの歯の咬合面又は切歯面の少なくとも一部分と整列するように構成されている、
付記１〜６のいずれか一項に記載のツール。
（付記８）
前記モールド本体は、少なくとも１つの位置合わせ部材を備え、
前記少なくとも１つの位置合わせ部材は、前記修復すべき少なくとも１つの歯に隣接する歯の咬合面又は切歯面の少なくとも一部分と整列するように構成されている、
付記１〜７のいずれか一項に記載のツール。
（付記９）
前記修復すべき歯の所望の歯構造の前記一部分は、前記少なくとも１つの歯の相互近位歯表面の少なくとも一部分を更に含む、付記１〜８のいずれか一項に記載のツール。
（付記１０）
前記モールド本体は、注入ポートを画定する、付記１〜９のいずれか一項に記載のツール。
（付記１１）
前記モールド本体は、把持部材を備える、付記１〜１０のいずれか一項に記載のツール。
（付記１２）
前記モールド本体は、前記モールド本体が前記モールドキャビティを画定するように前記少なくとも１つの歯の上に配置されたときに、前記修復すべき少なくとも１つの歯に隣接する歯を変位させるように構成されたウェッジ部材を備える、付記１〜１１のいずれか一項に記載のツール。
（付記１３）
前記モールド本体は、前記修復すべき少なくとも１つの歯の表面の第２の部分と整列するように構成されており、かつ前記モールド本体は、前記少なくとも１つの歯と組み合わされて前記患者の前記修復すべき少なくとも１つの歯の所望の歯構造の少なくとも第２の部分を覆い囲む第２のモールドキャビティを画定するように構成されており、
前記修復すべき少なくとも１つの歯の所望の歯構造の前記第２の部分は、前記少なくとも１つの歯の第２の歯肉縁上表面から前記少なくとも１つの歯の第２の歯肉縁下表面への少なくとも第２の移行部を含む、
付記１〜１２のいずれか一項に記載のツール。
（付記１４）
前記モールド本体は、前記修復すべき少なくとも１つの歯の切歯面又は咬合面に近接する開口を含む、付記１〜１３のいずれか一項に記載のツール。
（付記１５）
前記モールド本体は、前記モールド本体の前記表面から修復材料の剥離を容易にするように構成された剥離フィルム又はコーティングを含む、付記１〜１４のいずれか一項に記載のツール。
（付記１６）
前記モールド本体の少なくとも一部分は、修復材料で作製されている、付記１〜１５のいずれか一項に記載のツール。
（付記１７）
歯の歯科修復物を形成するためのツールを設計する方法であって、前記方法は、
１つ以上のプロセッサによって、患者の歯肉縁上歯構造の３次元スキャンデータを受信することと、
１つ以上のプロセッサによって、前記患者の歯肉縁下歯構造に関する情報を受信することと、
前記１つ以上のプロセッサによって、前記患者の前記歯肉縁上歯構造の前記３次元スキャンデータと、前記患者の前記歯肉縁下歯構造に関する前記情報と、前記患者の修復すべき少なくとも１つの歯の所望の歯構造とに基づいて、前記歯の前記歯科修復物を形成するためのツールを設計することと、
を含み、
前記ツールは、前記患者の前記修復すべき少なくとも１つの歯との患者固有のカスタマイズされた嵌め合いを提供するように構成された予め形成されたモールド本体を備え、前記モールド本体は、前記少なくとも１つの歯の表面の一部分と整列するように構成されており、かつ前記モールド本体は、前記少なくとも１つの歯と組み合わされて前記患者の前記修復すべき少なくとも１つの歯の所望の歯構造の少なくとも一部分を覆い囲むモールドキャビティを画定するように構成されており、
前記修復すべき少なくとも１つの歯の所望の歯構造の前記一部分は、前記少なくとも１つの歯の歯肉縁上表面から前記少なくとも１つの歯の歯肉縁下表面への移行部を画定する、方法。
（付記１８）
前記患者の前記歯肉縁下歯構造に関する前記情報は、
前記患者の前記歯肉縁下歯構造の３次元スキャンデータ、
前記患者の前記歯肉縁下歯構造の２次元スキャンデータ、
前記患者の前記歯肉縁下歯構造の医療画像、又は、
前記患者の特徴、測定値、スキャンデータ、又は医療画像のうちの少なくとも１つに基づいて決定された、前記歯肉縁下歯構造の物理的特徴、
のうちの少なくとも１つを含む、付記１７に記載の方法。
（付記１９）
前記１つ以上のプロセッサによって、前記ツールを形成するための３次元プリンタを制御することを更に含む、付記１７又は１８に記載の方法。
（付記２０）
ＣＡＤ／ＣＡＭミリングプロセスによって前記ツールを製造することを更に含む、付記１７又は１８に記載の方法。
（付記２１）
前記方法は、
前記１つ以上のプロセッサによって、前記患者の所望の歯構造に基づいて、歯科用モデルを作り出すことと、
前記歯科用モデルにフィルムを適用することと、
前記歯科モデルの周囲に前記フィルムを形成して前記ツール又は前記ツールの一部分を形成することと、を更に含み、
前記歯科モデルの周囲に前記フィルムを形成することは、前記歯科用モデルの周囲に前記フィルムを真空形成することを含む、付記１７又は１８に記載の方法。
（付記２２）
前記ツール又は前記ツールの前記一部分は、過剰な真空形成されたフィルムを含み、前記方法は、前記ツール又は前記ツールの前記一部分から前記過剰な真空形成されたフィルムをトリミングすることを更に含む、付記２１に記載の方法。
（付記２３）
歯科修復物を形成する方法であって、前記方法は、
予め形成されたモールド本体を、患者の修復すべき少なくとも１つの歯の上に配置することであって、前記モールド本体は、前記少なくとも１つの歯との患者固有のカスタマイズされた嵌め合いを提供するように構成されており、前記モールド本体は、前記少なくとも１つの歯の表面の一部分と整列するように構成されており、かつ前記モールド本体は、前記少なくとも１つの歯と組み合わされて前記患者の前記修復すべき少なくとも１つの歯の所望の歯構造の少なくとも一部分を覆い囲むモールドキャビティを画定するように構成されており、前記修復すべき少なくとも１つの歯の所望の歯構造の前記一部分は、前記少なくとも１つの歯の歯肉縁上表面から前記少なくとも１つの歯の歯肉縁下表面への移行部を画定するものである、配置することと、
修復材料を前記モールドキャビティ内に導入することと、
前記修復材料を硬化させることと、
前記モールド本体の少なくとも一部分を前記少なくとも１つの歯から取り外すことと、
を含む方法。
（付記２４）
修復材料を前記モールドキャビティ内に導入することは、
前記修復材料を、注入ポートを通して前記モールドキャビティ内に注入すること、
前記修復すべき少なくとも１つの歯の切歯面又は咬合面に近接する開口を通して、前記モールドキャビティ内に前記修復材料を適用すること、
前記少なくとも１つの歯の上に前記モールド本体を配置する前に、前記修復材料を前記モールドキャビティに予め充填すること、
前記少なくとも１つの歯の上に前記モールド本体を配置する前に、前記修復すべき少なくとも１つの歯上に前記修復材料を配置すること、
前記モールド本体を前記少なくとも１つの歯の上に配置することであって、前記モールド本体の少なくとも一部分は修復材料で作製される、こと、
のうちの少なくとも１つを含む、付記２３に記載の方法。
（付記２５）
前記方法は、
前記少なくとも１つの歯の上に第２のモールド本体を配置することであって、前記第２のモールド本体は、前記少なくとも１つの歯とのカスタマイズされた嵌め合いを提供するように構成されており、前記第２のモールド本体は、前記少なくとも１つの歯の表面の第２の部分と整列するように構成されており、かつ前記第２のモールド本体は、前記少なくとも１つの歯と組み合わさって、前記修復すべき少なくとも１つの歯の所望の歯構造の少なくとも前記第２の部分を覆い囲む第２のモールドキャビティを画定するように構成されている、配置することと、
第２の修復材料を前記第２のモールドキャビティ内に導入することと、
前記第２の修復材料を硬化させることと、
前記少なくとも１つの歯から前記第２のモールド本体の少なくとも一部分を取り外すことと、
を更に含む、付記２３又は２４に記載の方法。
（付記２６）
前記第２の修復材料を前記第２のモールドキャビティ内に導入することは、
前記第２の修復材料を、注入ポートを通して前記第２のモールドキャビティ内に注入すること、
前記修復材料を、前記修復すべき少なくとも１つの歯の切歯又は咬合の面に近接する開口を通して、前記第２のモールドキャビティ内に適用すること、
前記第２のモールド本体を前記少なくとも１つの歯の上に配置する前に、前記第２のモールドキャビティを前記第２の修復材料で予め充填すること、
前記第２のモールド本体を前記少なくとも１つの歯の上に配置する前に、前記第２の修復材料を前記少なくとも１つの歯上に配置すること、又は、
前記第２のモールド本体を前記少なくとも１つの歯の上に配置することであって、前記第２のモールド本体の少なくとも一部分は修復材料で作製される、こと、
のうちの少なくとも１つを含む、付記２５に記載の方法。
（付記２７）
前記患者の歯肉の一部分と前記修復すべき少なくとも１つの歯の前記歯肉縁下表面との間に、前記モールド本体の少なくとも一部分を挿入することを更に含む、付記２３〜２６のいずれか一項に記載の方法。
（付記２８）
前記モールド本体により、前記修復すべき少なくとも１つの歯に近接する前記患者の歯肉の一部分を変位させることを更に含む、付記２３〜２７のいずれか一項に記載の方法。
（付記２９）
ウェッジ機構により、前記修復すべき少なくとも１つの歯に隣接する歯を変位させることを更に含む、付記２３〜２８のいずれか一項に記載の方法。
【手続補正２】
【補正対象書類名】特許請求の範囲
【補正対象項目名】全文
【補正方法】変更
【補正の内容】
【特許請求の範囲】
【請求項１】
歯科修復物を形成するためのツールであって、前記ツールは、
患者の修復すべき少なくとも１つの歯と患者固有のカスタマイズされた嵌め合いを提供するように構成された予め形成されたモールド本体を備え、前記モールド本体は、前記少なくとも１つの歯の表面の一部分と整列するように構成されており、かつ前記モールド本体は、前記少なくとも１つの歯と組み合わされて前記患者の前記修復すべき少なくとも１つの歯の所望の歯構造の少なくとも一部分を覆い囲むモールドキャビティを画定するように構成されており、前記修復すべき少なくとも１つの歯の所望の歯構造の前記一部分は、前記少なくとも１つの歯の歯肉縁上表面から前記少なくとも１つの歯の歯肉縁下表面への移行部を画定する、ツール。
【請求項２】
前記修復すべき少なくとも１つの歯の前記所望の歯構造は、前記少なくとも１つの歯の前記歯肉縁上表面から前記少なくとも１つの歯の前記歯肉縁下表面まで先細になる歯構造を画定する、請求項１に記載のツール。
【請求項３】
前記モールド本体は、前記少なくとも１つの歯の前記歯肉縁下表面の少なくとも一部分と接触して、前記モールドキャビティの周囲の少なくとも一部分において封止圧力を集中させるように構成されている、請求項１又は２に記載のツール。
【請求項４】
前記少なくとも１つの歯の前記歯肉縁下表面は、前記少なくとも１つの歯の歯根を含む、請求項１〜３のいずれか一項に記載のツール。
【請求項５】
前記モールド本体は、前記患者の歯肉の一部分と、前記修復すべき少なくとも１つの前記歯肉縁下表面との間に延びるように構成されている、請求項１〜４のいずれか一項に記載のツール。
【請求項６】
前記モールド本体は、前記モールド本体が前記少なくとも１つの歯の上に配置され前記モールドキャビティを画定するときに、前記修復すべき少なくとも１つの歯に接近する前記患者の歯肉の一部分を変位させるように構成されている、請求項１〜４のいずれか一項に記載のツール。
【請求項７】
前記モールド本体は、少なくとも１つの位置合わせ部材を備え、
前記少なくとも１つの位置合わせ部材は、前記修復すべき少なくとも１つの歯の咬合面又は切歯面の少なくとも一部分と整列するように構成されている、
請求項１〜６のいずれか一項に記載のツール。
【請求項８】
前記モールド本体は、少なくとも１つの位置合わせ部材を備え、
前記少なくとも１つの位置合わせ部材は、前記修復すべき少なくとも１つの歯に隣接する歯の咬合面又は切歯面の少なくとも一部分と整列するように構成されている、
請求項１〜７のいずれか一項に記載のツール。
【請求項９】
前記修復すべき歯の所望の歯構造の前記一部分は、前記少なくとも１つの歯の相互近位歯表面の少なくとも一部分を更に含む、請求項１〜８のいずれか一項に記載のツール。
【請求項１０】
前記モールド本体は、注入ポート、又は、把持部材、又は、前記モールド本体が前記モールドキャビティを画定するように前記少なくとも１つの歯の上に配置されたときに、前記修復すべき少なくとも１つの歯に隣接する歯を変位させるように構成されたウェッジ部材を画定する、請求項１〜９のいずれか一項に記載のツール。
【請求項１１】
歯の歯科修復物を形成するためのツールを設計する方法であって、前記方法は、
１つ以上のプロセッサによって、患者の歯肉縁上歯構造の３次元スキャンデータを受信することと、
１つ以上のプロセッサによって、前記患者の歯肉縁下歯構造に関する情報を受信することと、
前記１つ以上のプロセッサによって、前記患者の前記歯肉縁上歯構造の前記３次元スキャンデータと、前記患者の前記歯肉縁下歯構造に関する前記情報と、前記患者の修復すべき少なくとも１つの歯の所望の歯構造とに基づいて、前記歯の前記歯科修復物を形成するためのツールを設計することと、
を含み、
前記ツールは、前記患者の前記修復すべき少なくとも１つの歯との患者固有のカスタマイズされた嵌め合いを提供するように構成された予め形成されたモールド本体を備え、前記モールド本体は、前記少なくとも１つの歯の表面の一部分と整列するように構成されており、かつ前記モールド本体は、前記少なくとも１つの歯と組み合わされて前記患者の前記修復すべき少なくとも１つの歯の所望の歯構造の少なくとも一部分を覆い囲むモールドキャビティを画定するように構成されており、
前記修復すべき少なくとも１つの歯の所望の歯構造の前記一部分は、前記少なくとも１つの歯の歯肉縁上表面から前記少なくとも１つの歯の歯肉縁下表面への移行部を画定する、方法。
【請求項１２】
前記患者の前記歯肉縁下歯構造に関する前記情報は、
前記患者の前記歯肉縁下歯構造の３次元スキャンデータ、
前記患者の前記歯肉縁下歯構造の２次元スキャンデータ、
前記患者の前記歯肉縁下歯構造の医療画像、又は、
前記患者の特徴、測定値、スキャンデータ、又は医療画像のうちの少なくとも１つに基づいて決定された、前記歯肉縁下歯構造の物理的特徴、
のうちの少なくとも１つを含む、請求項１１に記載の方法。
【請求項１３】
前記１つ以上のプロセッサによって、前記ツールを形成するための３次元プリンタを制御することを更に含む、請求項１１又は１２に記載の方法。
【請求項１４】
歯科修復物を形成する方法であって、前記方法は、
予め形成されたモールド本体を、患者の修復すべき少なくとも１つの歯の上に配置することであって、前記モールド本体は、前記少なくとも１つの歯との患者固有のカスタマイズされた嵌め合いを提供するように構成されており、前記モールド本体は、前記少なくとも１つの歯の表面の一部分と整列するように構成されており、かつ前記モールド本体は、前記少なくとも１つの歯と組み合わされて前記患者の前記修復すべき少なくとも１つの歯の所望の歯構造の少なくとも一部分を覆い囲むモールドキャビティを画定するように構成されており、前記修復すべき少なくとも１つの歯の所望の歯構造の前記一部分は、前記少なくとも１つの歯の歯肉縁上表面から前記少なくとも１つの歯の歯肉縁下表面への移行部を画定するものである、配置することと、
修復材料を前記モールドキャビティ内に導入することと、
前記修復材料を硬化させることと、
前記モールド本体の少なくとも一部分を前記少なくとも１つの歯から取り外すことと、
を含む方法。
【請求項１５】
修復材料を前記モールドキャビティ内に導入することは、
前記修復材料を、注入ポートを通して前記モールドキャビティ内に注入すること、
前記修復すべき少なくとも１つの歯の切歯面又は咬合面に近接する開口を通して、前記モールドキャビティ内に前記修復材料を適用すること、
前記少なくとも１つの歯の上に前記モールド本体を配置する前に、前記修復材料を前記モールドキャビティに予め充填すること、
前記少なくとも１つの歯の上に前記モールド本体を配置する前に、前記修復すべき少なくとも１つの歯上に前記修復材料を配置すること、
前記モールド本体を前記少なくとも１つの歯の上に配置することであって、前記モールド本体の少なくとも一部分は修復材料で作製される、こと、
のうちの少なくとも１つを含む、請求項１４に記載の方法。